(57)【要約】  【課題】  デジタルビデオカメラ等の動画再生装置において、今までにない斬新な動画の再生方法を実現する動画再生方法及び動画再生装置を提供する。  【解決手段】  動画再生装置１は、入力手段から更新頻度を指定する指定値の入力を受け付け（ステップＳ１）、設定されている標準の更新頻度が受け付けた指定値の逆数倍となるように、更新頻度を低くし（ステップＳ２）、記憶手段に記憶させた複数のデジタル画像信号の中から、指定値おきの順番の画像を示すデジタル画像信号を選択し（ステップＳ３）、選択したデジタル画像信号に基づく画像をビデオ信号として画像制御手段から表示手段へ出力する（ステップＳ４）。【選択図】      図３
2006060503.tif 000002
【特許請求の範囲】
【請求項１】
出力順序に基づき出力する画像を、設定されている更新頻度で更新することにより動画を再生する動画再生方法において、
設定されている更新頻度を低くし、
複数の画像の中から一部の画像を出力する画像として選択する
ことを特徴とする動画再生方法。
【請求項２】
出力順序に基づき出力する画像を、設定されている更新頻度で更新することにより動画を再生する動画再生装置において、
設定されている更新頻度を低くする頻度変更手段と、
複数の画像の中から一部の画像を出力する画像として選択する選択手段と
を備えることを特徴とする動画再生装置。
【請求項３】
更新頻度を指定する指定値を受け付ける手段を更に備え、
前記頻度変更手段は、更新頻度を指定値の逆数倍に変更するように構成してあり、
前記選択手段は、指定値おきの順番の画像を選択するように構成してある
ことを特徴とする請求項２に記載の動画再生装置。
【請求項４】
前記複数の画像は、画像毎に圧縮されていることを特徴とする請求項２又は請求項３に記載の動画再生装置。
【発明の詳細な説明】
【技術分野】
【０００１】
本発明は、出力順序に基づき出力する画像を、設定されている更新頻度で更新することにより動画を再生する動画再生方法、及び該動画再生方法を適用した動画再生装置に関し、特に動画の再生速度の変更に適用する動画再生方法及び動画再生装置に関する。
【背景技術】
【０００２】
デジタルビデオカメラ、ＤＶＤ(Digital Versatile Disc)再生装置等の動画再生装置が普及している（例えば、特許文献１参照）。動画再生装置では、出力する画像（フレーム）を所定の更新頻度（フレームレート）で更新しており、ユーザは所定の更新頻度で更新される画像を動画として認識する。また動画再生装置には様々な機能が搭載されており、例えば動画を再生する速度を変更する機能を例示することができる。
【特許文献１】特開２００１−２３８１５４号公報
【発明の開示】
【発明が解決しようとする課題】
【０００３】
しかしながらユーザの使用方法は多様化しており、動画の再生速度を変更する方法として単に更新頻度を変更するだけの方法ではない機能、そしてその機能による効果を潜在的に望んでいる。
【０００４】
本発明は斯かる事情に鑑みてなされたものであり、更新頻度を低くすることでスロー再生を実行するとともに、更新する画像のコマ落とし（フレームスキップ）を行うことで再生時間を一定にすることにより、単なる再生速度の変更ではない新しい機能を実現し、その機能によるスロー再生時の通常速度での音声再生、録画中における実時間でのスロー再生の実現等の効果を奏する動画再生方法、及び該動画再生方法を適用した動画再生装置の提供を目的とする。
【課題を解決するための手段】
【０００５】
本発明に係る動画再生方法は、出力順序に基づき出力する画像を、設定されている更新頻度で更新することにより動画を再生する動画再生方法において、設定されている更新頻度を低くし、複数の画像の中から一部の画像を出力する画像として選択することを特徴とする。
【０００６】
本発明では、更新頻度を低くすることでスロー再生を実行するとともに、更新する画像のコマ落としを行うことにより、単なる再生速度の変更ではない新たな再生方法をユーザに提供することが可能である。
【０００７】
本発明に係る動画再生装置は、出力順序に基づき出力する画像を、設定されている更新頻度で更新することにより動画を再生する動画再生装置において、設定されている更新頻度を低くする頻度変更手段と、複数の画像の中から一部の画像を出力する画像として選択する選択手段とを備えることを特徴とする。
【０００８】
本発明では、更新頻度を低くすることでスロー再生を実行するとともに、更新する画像のコマ落としを行うことにより、単なる再生速度の変更ではない新たな再生方法をユーザに提供することが可能である。
【０００９】
本発明に係る動画再生装置は、更新頻度を指定する指定値を受け付ける手段を更に備え、前記頻度変更手段は、更新頻度を指定値の逆数倍に変更するように構成してあり、前記選択手段は、指定値おきの順番の画像を選択するように構成してあることを特徴とする。
【００１０】
本発明では、更新頻度とコマ落としとのバランスをとることにより、全体としての再生速度が一定になるので、例えば同時に音声を出力する場合に、音声を通常速度で出力しても動画との同期をとることが可能である。更にはデジタルビデオカメラに適用した場合に、録画中に実時間で再生を行う場合でもスロー再生を行うことが可能である。
【００１１】
本発明に係る動画再生装置は、前記複数の画像は、画像毎に圧縮されていることを特徴とする。
【００１２】
本発明では、モーションＪＰＥＧ(Motion Joint Photographic Experts Group) 等の画像毎に圧縮する形式で記録されている動画ファイルに対して適用することにより、ＭＰＥＧ(Moving Picture Experts Group)等の時間軸方向にも圧縮する形式で記録した動画ファイル対して適用する場合と比較して、フレームレート及びフレームスキップの条件を容易に変更することが可能である。
【発明の効果】
【００１３】
本発明の動画再生方法及び動画再生装置では、出力する画像を出力順序に基づいて、設定されている更新頻度で更新することにより動画を再生するデジタルビデオカメラ、ＤＶＤ再生装置等の動画再生装置にて、出力する画像の更新頻度を低くすることでスロー再生を実行するとともに、更新する画像のコマ落とし（フレームスキップ）を行うことで全体としての再生時間を一定にする。
【００１４】
この構成により、単なる更新頻度の変更によるスロー再生ではなく、全体としての再生時間が一定となるので、例えば同時に音声を出力する場合に、音声の再生速度を低下させることなく、通常速度で出力された音声と動画との同期をとることが可能であり、これによりユーザに対して今までにはない新たな再生方法を提供することが可能である等、優れた効果を奏する。さらに例えばデジタルビデオカメラに適用した場合には、録画中に実時間でスロー再生を行うことが可能であり、これによりユーザに対して今までにはない新たな再生方法を提供することが可能である等、優れた効果を奏する。さらに、静止画印刷時の静止画抽出指定が容易になる等、優れた効果を奏する。
【発明を実施するための最良の形態】
【００１５】
以下、本発明をその実施の形態を示す図面に基づいて詳述する。
【００１６】
図１は、本発明の動画再生装置の構成を示すブロック図である。図１中１は、デジタルビデオカメラを用いた本発明の動画再生装置であり、動画再生装置１は、装置全体を制御するＣＰＵ等の制御手段１１と、制御手段１１により実行されるコンピュータプログラムを記録するＲＯＭ１２と、ＲＯＭ１２に記録されているコンピュータプログラムの実行時に一時的に発生するデータを記憶するＲＡＭ１３とを備えている。なお制御手段１１、ＲＯＭ１２及びＲＡＭ１３を１個のチップに搭載した１個のＬＳＩにて実現する様にしても良い。
【００１７】
また動画再生装置１は、ＣＣＤ(Charge Coupled Device) 等の撮像素子を用いた撮像手段１４を備え、撮像手段１４は、撮像により生成したアナログ画像信号を、Ａ／Ｄ変換手段１５へ出力し、Ａ／Ｄ変換手段１５は、撮像手段１４から受け付けたアナログ画像信号をデジタル画像信号に変換し、変換したデジタル画像信号を、ＳＤＲＡＭを用いた記憶手段１６に記憶させる。撮像手段１４の撮像は、１秒間に１５回、３０回等の頻度で行われる。即ち撮像手段１４の撮像により生成された画像は、１５ＦＰＳ(Frame Per Second)、３０ＦＰＳ等の更新頻度（フレームレート）で出力することにより、動画として表示することができる。
【００１８】
記憶手段１６に記憶されたデジタル画像信号は、デジタル画像信号の圧縮／伸張処理を行う圧縮／伸張手段１７へ送られる。圧縮／伸張手段１７では、受け付けたデジタル画像信号をモーションＪＰＥＧ等の形式に基づいた圧縮により圧縮動画データに変換し、ＳＤメモリカード(Secure Digital Memory Card)等の記録媒体２にアクセスするＳＤメモリカードコントローラ等の補助記憶手段１８へ圧縮動画データを送る。そして補助記憶手段１８では、受け付けた圧縮動画データを記録媒体２に記録する。モーションＪＰＥＧとは、動画を構成する複数の画像（フレーム）を、画像毎に圧縮し、夫々の画像を表示する順序及び表示間隔を付与した圧縮動画データの形式である。
【００１９】
また記憶手段１６に記憶されたデジタル画像信号は、画像に関する制御を行うビデオコントローラ等の画像制御手段１９へ送られる。画像制御手段１９では、受け付けたデジタル画像信号を出力用の画像信号であるビデオ信号に変換し、変換したビデオ信号を、液晶モニタ等の表示手段２０へ出力する。なお変換したビデオ信号を外部出力用端子から外部の装置へ出力する様にしても良い。表示手段２０では、入力を受け付けたビデオ信号に基づく画像を表示する。このように動画再生装置１が、撮像手段１４による撮像に基づく画像を表示手段２０に表示することにより、ユーザは、撮像している内容を実時間で視認することが可能となる。
【００２０】
なお動画再生装置１では、記録媒体２に記録した圧縮動画データを、補助記憶手段１８により読み出し、圧縮／伸張手段１７にてデジタル画像信号に伸張し、記憶手段１６に記憶させた後、記憶手段１６から画像制御手段１９へ送り、画像制御手段１９からビデオ信号として表示手段２０に出力させることも可能である。このように動画再生装置１が、記録媒体２に記録している圧縮動画データに基づく画像を表示手段２０に表示することにより、ユーザは、記録媒体２に記録されている内容を視認することが可能となる。
【００２１】
さらに動画再生装置１は、スライドスイッチ、ダイアルスイッチ、押釦等の入力手段２１を備えており、入力手段２１を介してユーザが行う様々な入力操作を受け付けることが可能である。
【００２２】
このように動画再生装置１は、入力手段２１から受け付けたユーザの入力操作に基づいて、制御手段１１の制御により、記憶手段１６に記憶させたデジタル画像信号を画像制御手段１９へ送り、画像制御手段１９から表示手段２０へビデオ信号として画像を出力する。そして出力する画像は、予め設定されている標準の更新頻度（フレームレート）で、各画像に付与されている順序に従い更新される。
【００２３】
次に本発明の動画再生装置１による処理について説明する。図２は、本発明の動画再生装置１の表示手段２０から表示される画像を示す説明図である。動画再生装置１が動画を再生中、ユーザの操作により更新頻度の変更を行うことが可能なモードに切り替わった場合に表示手段２０から図２に示す画像が表示される。図２では、ゴルフを行っている動画を再生中にモードが切り替わった状態を示しており、再生されている動画と共に画面の左方に上下方向の両矢印が表示される。両矢印中、スライドタイプのスイッチを模した画像が更新頻度を示しており、ユーザが入力手段２１を操作することにより、スイッチを模した画像が上下し、更新頻度を指定する入力を行うことができる。図２に示す例では、スイッチが下降する程、更新頻度が低くなる。動画再生装置１では、入力手段２１の操作量を検出し、検出した操作量を近似する２、３、５等の数値に変換し、変換した数値を、更新頻度を指定する指定値の入力として受け付ける。なお指定値を入力するインターフェースとしては、図２に示す様な画像だけでなく、選択可能な指定値を表示手段２０に表示し、ユーザに指定値の選択を要求する様にしてもよい。
【００２４】
図３は、本発明の動画再生装置１の更新頻度変更処理を示すフローチャートである。動画再生装置１は、制御手段１１の制御により、入力手段２１から更新頻度を指定する指定値の入力を受け付け（ステップＳ１）、標準として設定されている更新頻度が受け付けた指定値の逆数倍となるように、更新頻度を低くし（ステップＳ２）、記憶手段１６に記憶させた複数のデジタル画像信号の中から、指定値おきの順番の画像を示すデジタル画像信号を選択し（ステップＳ３）、選択したデジタル画像信号に基づく画像をビデオ信号として画像制御手段１９から表示手段２０へ出力する（ステップＳ４）。なお出力される画像は、ステップＳ２にて低くされた更新頻度で更新される。
【００２５】
ステップＳ１にて入力を受け付けた指定値が２である場合、更新頻度は指定値の逆数倍である１／２となる。具体的には３０ＦＰＳの更新頻度が１５ＦＰＳとなる。そして指定値である２つおきの順番の画像、即ち１番目の画像、３番目の画像、５番目の画像、…が出力されて、所謂更新する画像のコマ落とし（フレームスキップ）が行われる。またここでいう１番目の画像とは、指定値の入力を受け付けた時点で出力されている画像であり、指定値の入力が画像の出力前に行われている場合には、所定の順序で出力すべき全ての画像の中で、最初に出力すべき画像を示す。同様にして入力を受け付けた指定値が３である場合、更新頻度は１０ＦＰＳとなり、１番目の画像、４番目の画像、７番目の画像、…が出力される。
【００２６】
次に本発明の動画再生装置１にて再生される動画の具体的な例について説明する。図４は、本発明の動画再生装置１の動画再生処理を概念的に示す説明図である。図４（ａ）は、標準の更新頻度で再生される動画を示しており、図４（ｂ）は、指定値が３である場合に再生される動画を示している。図４（ａ）に示す様に更新頻度が標準である場合には、３０ＦＰＳの更新頻度、即ち１／３０秒の更新間隔で付与されている順序に従い出力される画像が更新される。図４（ｂ）では、１番目の画像、４番目の画像、７番目の画像、…が出力され、夫々の画像は１０ＦＰＳの更新頻度、即ち１／１０秒の更新間隔で更新される。なお図４（ａ）に示す様に更新頻度が標準の場合でも、図４（ｂ）に示す様に更新頻度が標準の１／３である場合でも７番目の画像が出力される時期は、動画の再生開始から１／５秒後である。
【００２７】
図４からも明らかな様に本発明の動画再生装置１では、更新頻度が低くなるためスロー再生として動画が再生されるが、全体としての再生時間は一定である。従って同時に音声を出力する場合、音声の再生速度を低下させる処理は不要となるので、動画と共に再生される会話、実況等の音声は、通常の状態で出力され、容易に聞き取ることができる。また再生する動画が、撮像手段１４の撮像により生成し、記憶手段１６に記憶させたデジタル画像信号である場合、即ち撮像及び／又は録画中に実時間で再生している動画であったとしても、実時間でスロー再生を行うことが可能である。
【００２８】
なお例えば表示手段２０の規格により更新頻度が固定されている場合、同じ画像を指定値の回数だけ連続して更新することで、実質的な更新頻度を低くする様にしても良い。具体的には図４（ｂ）において、１／３０秒の更新間隔で、１番目の画像を３回出力し、更に４番目の画像を３回出力し、更に７番目の画像を３回出力し、…という様にすることで実質的に１／１０秒の更新間隔で更新していることとなる。このように更新頻度が規格により固定されている装置に対しても、本発明を適用することは可能である。
【００２９】
前記実施の形態では、本発明の動画再生装置をデジタルビデオカメラに適用する形態を示したが、本発明はこれに限らず、ＤＶＤ再生装置等の様々な動画再生装置に適用することが可能である。
【００３０】
また前記実施の形態では、指定値が自然数である形態を示したが、本発明はこれに限らず、様々な指定値に適用することが可能である。例えば指定値が２．７である場合、１番目の画像が出力された後、３．７番目の画像として３．７に近似する４番目の画像を出力し、６．４番目の画像として６．４に近似する６番目の画像を出力するという様に出力する画像が選択される。
【図面の簡単な説明】
【００３１】
【図１】本発明の動画再生装置の構成を示すブロック図である。
【図２】本発明の動画再生装置の表示手段から表示される画像を示す説明図である。
【図３】本発明の動画再生装置の更新頻度変更処理を示すフローチャートである。
【図４】本発明の動画再生装置の動画再生処理を概念的に示す説明図である。
【符号の説明】
【００３２】
１  動画再生装置
１１  制御手段
１２  ＲＯＭ
１３  ＲＡＭ
１４  撮像手段
１５  Ａ／Ｄ変換手段
１６  記憶手段
１７  圧縮／伸張手段
１８  補助記憶手段
１９  画像制御手段
２０  表示手段
２１  入力手段
２  記録媒体
【図１】
2006060503.tif 000003
【図２】
2006060503.tif 000004
【図３】
2006060503.tif 000005
【図４】
2006060503.tif 000006